(57)【要約】【課題】撮影オーダ情報の取り扱いを容易にするとともに、患者情報の外部への漏洩を防止する。【解決手段】ＣＰＵ１１は、オーダ認証処理において、操作部１２から撮影オーダ情報の表示指示が入力されると、撮影者ＩＤを入力するための入力画面を表示部１３に表示する。この入力画面において撮影者ＩＤが入力されると、撮影者ＩＤテーブル１６１を参照して入力された撮影者ＩＤと一致する撮影者ＩＤが登録されているか否かを判別する。一致する撮影者ＩＤが登録されていない場合は、撮影オーダ情報を表示せず、撮影者を認証できなかったことを報知する認証エラーガイダンスを行い、一致する撮影者ＩＤが登録されている場合は、オーダ登録ファイル１６２から撮影オーダ情報を読み出して一覧表示する。【選択図】          図２
2004147913.tif 000002
【特許請求の範囲】
【請求項１】
患者に関する情報を含む撮影オーダ情報を受信する受信手段と、
前記撮影オーダ情報を表示する表示手段と、
撮影者の身元識別情報を入力する入力手段と、
前記入力手段により入力された撮影者の身元識別情報を認証する身元識別情報認証手段と、
前記身元識別情報認証手段による認証結果に基づいて、前記表示手段による前記患者に関する情報の表示を制御する表示制御手段と、
を備えることを特徴とする医用画像撮影システムにおける携帯型撮影情報装置。
【請求項２】
請求項１に記載の携帯型撮影情報装置において、
前記受信手段により受信された撮影オーダ情報を格納する撮影オーダ情報格納手段を備え、
前記表示処理制御手段は、前記身元識別情報認証手段による認証結果に基づいて、前記患者に関する情報を前記撮影オーダ情報格納手段から読み出して、前記表示手段に対する表示制御を行うことを特徴とする医用画像撮影システムにおける携帯型撮影情報装置。
【請求項３】
請求項１に記載の携帯型撮影情報装置において、
前記表示処理制御手段は、前記身元識別情報認証手段による認証結果に基づいて、前記撮影オーダ情報を管理する情報管理装置本体から前記患者に関する情報を読み出して、前記表示手段に対する表示制御を行うことを特徴とする医用画像撮影システムにおける携帯型撮影情報装置。
【請求項４】
請求項１〜３の何れか一項に記載の携帯型撮影情報装置において、
前記身元識別情報認証手段は、携帯型撮影情報装置の起動に連動して動作するように設定されていることを特徴とする医用画像撮影システムにおける携帯型撮影情報装置。
【請求項５】
患者に関する情報を含む撮影オーダ情報を受信する受信工程と、
前記撮影オーダ情報を表示手段に表示する表示工程と、
撮影者の身元識別情報を入力する入力工程と、
前記入力工程で入力された撮影者の身元識別情報を認証する身元識別情報認証工程と、
前記身元識別情報認証工程における認証結果に基づいて、前記表示手段による前記患者に関する情報の表示を制御する表示制御工程と、
を含むことを特徴とする患者に関する情報の表示制御方法。
【請求項６】
コンピュータに、
患者に関する情報を含む撮影オーダ情報を受信させる受信機能と、
前記撮影オーダ情報を表示手段に表示させる表示機能と、
撮影者の身元識別情報を入力させる入力機能と、
前記入力機能により入力された撮影者の身元識別情報を認証させる身元識別情報認証機能と、
前記身元識別情報認証機能による認証結果に基づいて、前記表示手段による前記患者に関する情報の表示を制御させる表示制御機能と、
を実現させるためのプログラム。
【請求項７】
患者に関する情報を含む撮影オーダ情報を読み出し可能な状態で格納し、読み出し指示に応じて当該撮影オーダ情報を外部機器に送信可能な情報管理装置と、
前記情報管理装置に接続されたネットワークと、
前記ネットワークを介して前記撮影オーダ情報を受信し、当該撮影オーダ情報を撮影者に提供する際に、撮影者の認証を待って前記患者に関する情報の表示を行う携帯型撮影情報装置と、
撮影者の指示に応じて患者の撮影を行う医用画像撮影装置と、
を備えることを特徴とする医用画像撮影システム。
【発明の詳細な説明】
【０００１】
【発明の属する技術分野】
本発明は、医用画像撮影システムにおける携帯型撮影情報装置、患者に関する情報の表示制御方法、プログラム及び医用画像撮影システムに関する。
【０００２】
【従来の技術】
医療の分野においては、例えばコンピュータ断層画像撮影装置（以下、ＣＴ：Ｃｏｍｐｕｔｅｄ  Ｔｏｍｏｇｒａｐｈｙという）やコンピュータ放射線画像撮影装置（以下、ＣＲ：Ｃｏｍｐｕｔｅｄ  Ｒａｄｉｏｇｒａｐｈｙという）、核磁気共鳴イメージング装置（以下、ＭＲＩ：Ｍａｇｎｅｔｉｃ  Ｒｅｓｏｎａｎｃｅ  Ｉｍａｇｉｎｇという）等の医用画像撮影システムが利用されている。この医用画像撮影システムは、被検体である患者を撮影し、その撮影した医用画像をデジタル画像データとして取得するシステムである。
【０００３】
具体的には、支持体上に輝尽性蛍光体層を形成した蛍光体プレートを使用するものであり、撮影時にはその蛍光体層に被検体を透過した放射線を吸収させ、被検体各部の放射線透過度に対応する放射線エネルギーを蓄積させて潜像を形成する。その後、蛍光体層をレーザ光等の励起光で走査することによって放射線エネルギーを蛍光として放射させ、その蛍光を光電変換することにより画像信号を読み取るものである。
【０００４】
斯かる医用画像撮影システムは、大きく分けて二つのシステム構成がとられる。
その一つは、蛍光体プレートを内蔵し、撮影と画像の読み取りを行う撮影読取装置が撮影室に設置された固定タイプの医用画像撮影システムである。このシステムでは、撮影に続いてその撮影画像をデジタル画像データで読み取ることが可能である。
他の一つは、動けない患者のために、移動可能な回診用の撮影装置（以下、ポータブル撮影装置という。）と、蛍光体プレートを内蔵したカセッテとを用いて、回診先において撮影を行う移動タイプの医用画像撮影システムである。このシステムでは、撮影後にカセッテ専用の読取装置によりカセッテから撮影画像の読み取りを行ってデジタル画像データを得る。
【０００５】
この移動タイプの医用画像撮影システムにおいて、検査技師による撮影は、一般的に次のような手順で行われる。
（１）病院内の情報管理システム（以下、ＨＩＳ：Ｈｏｓｐｉｔａｌ  ｉｎｆｏｒｍａｔｉｏｎ  Ｓｙｓｔｅｍという）や放射線科内の情報と管理システム（以下、ＲＩＳ：Ｒａｄｉｏｌｏｇｙ  Ｉｎｆｏｒｍａｔｉｏｎ  Ｓｙｓｔｅｍという）等において、医師からの依頼により作成された撮影オーダ情報をオーダ用紙に印刷する。この撮影オーダ情報には、撮影する患者の氏名や性別等の患者に関する情報（以下、患者情報という）や撮影部位や撮影方法等の撮影に関する情報（以下、撮影情報という）が含まれ、どの患者に対してどのように撮影するかが示されている。
（２）ポータブル撮影装置及びカセッテを患者がいる病室に搬送する。
（３）オーダ用紙に印刷された撮影オーダ情報に基づいて撮影対象の患者や撮影部位等を確認した後、撮影装置及びカセッテを用いて撮影を実行する。
（４）カセッテ専用の読取装置によりカセッテから撮影された医用画像を読み取る。
【０００６】
しかしながら、上述したような撮影方法では、撮影オーダ情報をオーダ用紙、すなわち紙媒体に印刷して利用しているため、一患者に対して複数のオーダが重なると撮影オーダ情報の取り扱いが煩雑となり、どのカセッテを用いてどの撮影オーダ情報の撮影を行ったのかがわからなくなる場合がある。撮影オーダ情報には、撮影された医用画像の画像処理条件も含まれており、撮影後にカセッテから読み取られた医用画像は、撮影オーダ情報に基づいて撮影部位に適した画像処理が施される。そのため、異なる撮影オーダ情報と医用画像とが対応付けられた場合、適切な画像処理が施されず診断精度の低下を招く可能性がある。従って、撮影オーダ情報の取り扱いには正確性、安全性が要求される。
【０００７】
一方、固定タイプの医用画像撮影システムでは、撮影読取装置の撮影及び読取動作を制御するコントローラが撮影室の外側に設置され、このコントローラがＨＩＳやＲＩＳから撮影オーダ情報を受信して表示手段に表示している。撮影者は、コントローラに表示された撮影オーダ情報に基づいて撮影を行う。
【０００８】
撮影オーダ情報は、個人のプライバシーに関わる患者情報を含み、場合によっては臨床診断名等の重要な情報を含むこともあるため、外部への漏洩を防止しなければならない。従って、医用画像撮影システムにおいてはセキュリティが確保されなければならない。
【０００９】
従来から、患者情報を読み込む際に、患者の識別子を読み取ることにより患者を特定し、適正な患者か否かを確認する技術が提案されている（例えば、特許文献１参照）。
【００１０】
【特許文献１】
特開平６−２９２６５７号公報（第２−４頁、第１図）
【００１１】
【発明が解決しようとする課題】
撮影オーダ情報に含まれる患者情報のセキュリティを確保するために、従来の患者特定技術を利用して、患者の識別子により患者が特定されると撮影オーダ情報を表示することができるようにした場合、撮影毎に識別子の読み取りを行わなければならず、撮影作業が煩雑となる。また、識別子を読み取った患者の撮影オーダ情報のみを表示することになるので、複数患者の撮影オーダ情報を一覧できず不便である。
【００１２】
本発明の課題は、撮影オーダ情報の取り扱いを容易にするとともに、患者情報の外部への漏洩を防止することである。
【００１３】
【課題を解決するための手段】
請求項１に記載の発明は、医用画像撮影システムにおける携帯型撮影情報装置であって、
患者に関する情報を含む撮影オーダ情報を受信する受信手段と、
前記撮影オーダ情報を表示する表示手段と、
撮影者の身元識別情報を入力する入力手段と、
前記入力手段により入力された撮影者の身元識別情報を認証する身元識別情報認証手段と、
前記身元識別情報認証手段による認証結果に基づいて、前記表示手段による前記患者に関する情報の表示を制御する表示制御手段と、
を備えることを特徴としている。
【００１４】
請求項５に記載の発明は、患者に関する情報の表示制御方法であって、
患者に関する情報を含む撮影オーダ情報を受信する受信工程と、
前記撮影オーダ情報を表示手段に表示する表示工程と、
撮影者の身元識別情報を入力する入力工程と、
前記入力工程で入力された撮影者の身元識別情報を認証する身元識別情報認証工程と、
前記身元識別情報認証工程における認証結果に基づいて、前記表示手段による前記患者に関する情報の表示を制御する表示制御工程と、
を含むことを特徴としている。
【００１５】
請求項６に記載の発明は、
コンピュータに、
患者に関する情報を含む撮影オーダ情報を受信させる受信機能と、
前記撮影オーダ情報を表示手段に表示させる表示機能と、
撮影者の身元識別情報を入力させる入力機能と、
前記入力機能により入力された撮影者の身元識別情報を認証させる身元識別情報認証機能と、
前記身元識別情報認証機能による認証結果に基づいて、前記表示手段による前記患者に関する情報の表示を制御させる表示制御機能と、
を実現させるためのプログラムであることを特徴としている。
【００１６】
この請求項１、５、６に記載の発明によれば、医用画像撮影システムにおける携帯型撮影情報装置が、撮影オーダ情報を受信して表示するので、撮影オーダ情報の確認及び取り扱いが容易になり、撮影者の撮影作業に対する負担を軽減することができる。また、携帯型撮影情報装置が、入力された撮影者の身元識別情報の認証結果に基づいて、撮影オーダ情報に含まれる患者に関する情報の表示を制御するので、患者に関する情報の外部への漏洩を防止することができるとともに撮影者の身元を容易に特定することができ、医用画像撮影システムにおけるセキュリティ機能を向上させることができる。
【００１７】
請求項２に記載の発明は、請求項１に記載の携帯型撮影情報装置において、
前記受信手段により受信された撮影オーダ情報を格納する撮影オーダ情報格納手段を備え、
前記表示処理制御手段は、前記身元識別情報認証手段による認証結果に基づいて、前記患者に関する情報を前記撮影オーダ情報格納手段から読み出して、前記表示手段に対する表示制御を行うことを特徴としている。
【００１８】
この請求項２に記載の発明によれば、携帯型撮影情報装置は、撮影オーダ情報を格納し、表示制御する際は、格納した撮影オーダ情報を読み出して表示制御するので、所望する撮影オーダ情報の読み出しが容易となる。
【００１９】
請求項３に記載の発明は、請求項１に記載の携帯型撮影情報装置において、
前記表示処理制御手段は、前記身元識別情報認証手段による認証結果に基づいて、前記撮影オーダ情報を管理する情報管理装置本体から前記患者に関する情報を読み出して、前記表示手段に対する表示制御を行うことを特徴としている。
【００２０】
この請求項３に記載の発明によれば、携帯型撮影情報装置は、撮影者の身元識別情報の認証結果に基づいて、情報管理装置から患者に関する情報を読み出してその表示を制御するので、携帯型撮影情報装置だけではなく、情報管理装置においてもセキュリティを確保することができる。
【００２１】
請求項４に記載の発明は、請求項１〜３の何れか一項に記載の携帯型撮影情報装置において、
前記身元識別情報認証手段は、携帯型撮影情報装置の起動に連動して動作するように設定されていることを特徴としている。
【００２２】
この請求項４に記載の発明によれば、携帯型撮影情報装置の起動に連動して、撮影者の身元識別情報を認証するので、患者に関する情報を取り扱う携帯型撮影情報装置のセキュリティ機能をより向上させることができる。
【００２３】
請求項７に記載の発明は、医用画像撮影システムであって、
患者に関する情報を含む撮影オーダ情報を読み出し可能な状態で格納し、読み出し指示に応じて当該撮影オーダ情報を外部機器に送信可能な情報管理装置と、
前記情報管理装置に接続されたネットワークと、
前記ネットワークを介して前記撮影オーダ情報を受信し、当該撮影オーダ情報を撮影者に提供する際に、撮影者の認証を待って前記患者に関する情報の表示を行う携帯型撮影情報装置と、
撮影者の指示に応じて患者の撮影を行う医用画像撮影装置と、
を備えることを特徴としている。
【００２４】
この請求項７に記載の発明によれば、携帯型撮影情報装置が情報管理装置からネットワークを介して撮影オーダ情報を受信し、撮影者の認証を待って撮影オーダ情報に含まれる患者に関する情報の表示を行うので、撮影作業における撮影オーダ情報の取り扱いが容易となるとともに患者に関する情報の外部への漏洩を防止することができる。従って、セキュリティ機能が高い医用画像撮影システムを提供することができる。
【００２５】
【発明の実施の形態】
以下、図を参照して本発明の実施の形態を詳細に説明する。
本実施の形態では、本願の特許請求の範囲に記載した携帯型撮影情報装置の一形態として、携帯情報端末（以下、ＰＤＡ：Ｐｅｒｓｏｎａｌ  Ｄｉｇｉｔａｌ  Ａｓｓｉｓｔａｎｔと略称する。）に適用した例を説明する。
【００２６】
まず構成を説明する。
図１は、本発明に係るＰＤＡ１０を含む医用画像撮影システム１００の全体構成を示す概念図である。
図１において、医用画像撮影システム１００は、ＰＤＡ１０、医用画像撮影装置５０、カセッテ用の医用画像読取装置６０、カセッテ７０、制御装置８０から構成され、ＰＤＡ１０と、情報管理装置３０と、制御装置８０とがネットワークＮを介して相互にデータの送受信が可能に接続されている。
【００２７】
ネットワークＮは、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）、インターネット等の様々な回線形態を適用可能である。なお、病院等の医療機関内で許可されるのであれば、無線通信や赤外線通信であってもよいが、撮影オーダ情報を送受信する際には重要な患者情報を含むため、撮影オーダ情報は暗号化することとする。
【００２８】
情報管理装置３０は、医師から操作入力された撮影のオーダ情報を格納し、ネットワークＮを介して接続されたＰＤＡ１０、医用画像読取装置６０に撮影オーダ情報を送信する。なお、他の情報管理装置として、撮影オーダ情報の予約受付を行う受付装置を適用してもよいし、ＨＩＳやＲＩＳ等の情報管理システムを適用することとしてもよい。
【００２９】
ＰＤＡ１０は、撮影技師等の撮影者が携帯する携帯型撮影情報装置であり、情報管理装置３０から撮影オーダ情報を受信して格納する。ＰＤＡ１０は、撮影時には、指定された撮影オーダ情報を表示し、各撮影オーダ情報に対し、撮影に使用するカセッテ７０を他のカセッテと識別可能な態様で登録する。
【００３０】
医用画像撮影装置５０は、移動可能であり、回診先において撮影者の指示に応じて患者を撮影し、撮影した医用画像をカセッテ７０に記録する。
【００３１】
医用画像読取装置６０は、カセッテ７０に記録されている医用画像を読み取るカセッテ専用の医用画像読取装置である。制御装置８０は、医用画像読取装置６０の読み取り動作を制御し、画像管理のために、情報管理装置３０から受信した撮影オーダ情報と、カセッテ７０から読み取った医用画像との対応付けを行う。
【００３２】
次に、本発明に係るＰＤＡ１０について詳細に説明する。
図２は、本実施の形態におけるＰＤＡ１０の機能的構成を示すブロック図である。図２において、ＰＤＡ１０は、ＣＰＵ（Ｃｅｎｔｒａｌ  Ｐｒｏｃｅｓｓｉｎｇ  Ｕｎｉｔ）１１、操作部１２、表示部１３、通信制御部１４、ＲＡＭ（Ｒａｎｄｏｍ  Ａｃｃｅｓｓ  Ｍｅｍｏｒｙ）１５、記憶装置１６、バーコードリーダ１７から構成され、各部はバス１９により接続されている。
【００３３】
ＣＰＵ１１は、記憶装置１６に格納されているシステムプログラム及び各種アプリケーションプログラムの中から指定されたプログラムをＲＡＭ１５に展開し、当該プログラムに従ってＰＤＡ１０の各部を集中制御する。
【００３４】
具体的には、ＣＰＵ１１は、記憶装置１６からオーダ認証処理プログラムを読み出して、身元識別認証手段及び表示制御手段を実現する。
【００３５】
ＣＰＵ１１は、オーダ認証処理（図６参照）において、操作部１２から撮影オーダ情報の表示指示が入力されると、撮影者の身元識別情報である撮影者ＩＤを入力するための入力画面を表示部１３に表示する。この入力画面において撮影者ＩＤが入力されると、記憶装置１６の撮影者ＩＤテーブル１６１（図３参照）を参照して入力された撮影者ＩＤと一致する撮影者ＩＤが登録されているか否かを判別する。一致する撮影者ＩＤが登録されていない場合は、撮影オーダ情報を表示せず、撮影者ＩＤを認証できなかったことを報知する認証エラーガイダンスを行う。
【００３６】
一方、一致する撮影者ＩＤが登録されている場合は、撮影する患者の患者ＩＤを入力する入力画面を表示部１３に表示し、入力された患者ＩＤに対応する撮影オーダ情報が記憶装置１６のオーダ登録ファイル１６２（図４参照）に登録されているか否かを判別する。登録されている場合は、オーダ登録ファイル１６２から撮影オーダ情報を読み出して一覧表示した撮影オーダ情報の一覧画面１３１（図７参照）を表示部１３に表示する。登録されていない場合は、通信制御部１４を介して、患者ＩＤに対応する撮影オーダ情報を情報管理装置３０から取得して、その一覧画面１３１を表示する。
【００３７】
操作部１２は、撮影者ＩＤを入力する入力手段の一つであり、カーソルキー、数字入力キー及び各種機能キーを備えて、撮影者によりキー操作された撮影者ＩＤを入力し、入力した撮影者ＩＤをＣＰＵ１１に出力する。なお、操作部１２は、必要に応じてマウス、タッチパネル等のポインティングディバイスやその他の操作入力装置を備えることとしてもよい。
【００３８】
表示部１３は、ＬＣＤ（Ｌｉｑｕｉｄ  Ｃｒｙｓｔａｌ  Ｄｉｓｐｌａｙ）等による表示ディスプレイを備えた表示手段であり、ＣＰＵ１１からの表示指示に基づいて撮影オーダ情報、患者情報等の各種情報を表示する。
【００３９】
通信制御部１４は、ネットワークインターフェイスカード、モデム又はターミナルアダプタ等を備えて受信手段を構成し、ネットワークＮ上の外部機器との通信を制御する。例えば、通信制御部１４は、情報管理装置３０と無線通信を確立し、ネットワークＮを介して撮影オーダ情報を受信する。なお、この場合、必要であればＰＨＳ等の携帯電話端末を利用して無線通信を確立することとしてもよい。
【００４０】
ＲＡＭ１５は、ＣＰＵ１１によって実行される各種プログラムやこれら各種プログラムによって処理されたデータ等を一時的に記憶するワークエリアを形成する。
【００４１】
記憶装置１６は、プログラムやデータが予め記憶されている記憶媒体（図示せず）を有しており、この記憶媒体は、システムプログラム、当該システムプログラムに対応する各種アプリケーションプログラム及び各種処理プログラムで処理されたデータ等を記憶する。また、この記憶媒体は磁気的、光学的記憶媒体又は半導体メモリで構成され、記憶装置１６に固定的に設けられるもの又は着脱自在に装着するものである。
【００４２】
また、記憶装置１６は、撮影者の身元識別情報を記憶する撮影者ＩＤテーブル１６１を内部に格納する。撮影者ＩＤテーブル１６１は、図３にそのデータ格納例を示すように、予め登録されている撮影者の氏名と、その撮影者の身元識別情報である撮影者ＩＤと、その撮影者ＩＤをバーコード化したバーコードとを記憶している。例えば、図３に示すように、撮影者「山田太郎」の撮影者ＩＤは「０００１」であり、そのバーコードは「バーコードＡ」であることを記憶している。
【００４３】
また、記憶装置１６は、オーダ登録ファイル１６２を備える。オーダ登録ファイル１６２は、通信制御部１４により情報管理装置３０から受信した撮影オーダ情報を格納する撮影オーダ情報格納手段である。
【００４４】
具体的には、オーダ登録ファイル１６２は、図４にそのデータ格納例を示すように、オーダＩＤ順に、撮影する患者のＩＤ（例えば“ＡＡ−００１”）、氏名（例えば“鈴木花子”）、性別（例えば“女”、“男”）、年齢（例えば“４５”）等の患者情報と、撮影条件（撮影部位、撮影方向を含む。例えば  “胸部正面”）、撮影に用いたカセッテの識別番号であるカセッテＩＤ（例えば“ＡＢ０１”）等の撮影情報と、撮影された医用画像の画像処理条件（例えば“コントラスト＋１”、これは階調処理においてコントラストのレベルを１上げることを示す）と、撮影された医用画像の出力条件（例えば“フィルムサイズ１４×１４”、これはフィルム出力する際のフィルムサイズを示す）と、を記憶する。
【００４５】
患者情報は、図４に示した撮影する患者のＩＤ、氏名、性別、年齢の他、例えば検査の依頼科、担当医名、病室名、感染症等を警告する医療警告情報、薬物アレルギーの有無、妊娠の有無、追加病歴、車椅子や担架等の特別な介護の必要性、臨床診断名、守秘事項等の各種患者情報が記憶される。また、撮影情報としては、図４に示した撮影条件、撮影に使用したカセッテのＩＤの他、例えば撮影方法（単純撮影、造影撮影等）、撮影予定日、撮影装置、読取装置等の各種撮影情報が記憶される。
【００４６】
そして、画像処理条件としては、図４に示した階調処理における画像処理条件の他、画像の鮮鋭度を調整する周波数処理、ダイナミックレンジの広い画像を被写体の細部のコントラストを低下させることなく見やすい濃度範囲に収めるためのダイナミックレンジ圧縮処理、画像データを所定の圧縮化方式で圧縮する圧縮処理等の各種画像処理時の画像処理条件が記憶される。また、出力条件としては、図４に示したフィルム出力する際のフィルムサイズの他、例えば撮影された画像を表示出力する際の、画像の反転、回転、明度、コントラスト等の出力条件が記憶される。
【００４７】
バーコードリーダ１７は、撮影者ＩＤを入力する入力手段の一つであり、光学的な読み取り機構であるスキャナを有して、撮影者ＩＤのバーコードを読み取って、その画像データをＣＰＵ１１に出力する。
【００４８】
次に、本実施の形態の動作を説明する。
後述するフローチャートに記述されている各機能を実現するためのプログラムはコンピュータが読み取り可能なプログラムコードの形態でＰＤＡ１０の記憶装置１６に格納されており、ＰＤＡ１０のＣＰＵ１１は、当該プログラムコードに従った動作を逐次実行する。
【００４９】
最初に、図５を参照して、ＰＤＡ１０を用いた医用画像撮影システム１００における全体的な撮影の流れを説明する。ＰＤＡ１０は、例えば歩行が困難である、手術中である等、撮影室まで移動できない患者を、患者がいる病室等で医用画像撮影装置５０及びカセッテ７０を用いて撮影する際に利用される。
【００５０】
図３において、まず情報管理装置３０は、ＰＤＡ１０に該当する撮影オーダ情報をＰＤＡ１０に送信する。ＰＤＡ１０は、情報管理装置３０から受信した撮影オーダ情報をオーダ登録ファイル１６２に格納して登録する（ステップＡ１）。
【００５１】
次いで、撮影者が、患者がいる病室に医用画像撮影装置５０及びカセッテ７０を搬送して、撮影準備を開始し（ステップＡ２）、撮影準備が整うと、撮影者はＰＤＡ１０を操作して撮影オーダ情報の表示を指示する。ＰＤＡ１０は、撮影オーダ情報の表示指示に応じて、後述するオーダ認証処理を実行し、撮影者が認証されると撮影する患者ＩＤを入力させる。ＰＤＡ１０は、撮影する患者の患者ＩＤを撮影者により操作入力されると（ステップＡ３）、入力された患者ＩＤに対応する撮影オーダ情報をオーダ登録ファイル１６２から読み出して一覧表示する（ステップＡ４）。
【００５２】
ＰＤＡ１０に表示された撮影オーダ情報を撮影者が参照して撮影部位を確認すると（ステップＡ５）、撮影に用いるカセッテをその撮影オーダ情報に対して登録し（ステップＡ６）、撮影者は、登録したカセッテ７０及び医用画像撮影装置５０を用いて、ＰＤＡ１０に表示された撮影オーダ情報に基づき、患者のＸ線撮影を行う（ステップＡ７）。このようにして、一患者に対する一つ又は複数の撮影オーダ情報に基づく撮影を終了すると（ステップＡ８）、撮影者は、次に撮影する患者の患者ＩＤをＰＤＡ１０に入力し（ステップＡ４）、同様に次の患者に対する一連の撮影を行う。
【００５３】
撮影画像を記録しているカセッテ７０は、一連の撮影が終了後、撮影者により医用画像読取装置６０に挿入されてその撮影画像が読み取られる。制御装置８０は、予め情報管理装置３０から撮影オーダ情報を受信して格納しておき、医用画像読取装置６０により読み取られた撮影画像と、撮影者により指定された撮影オーダ情報とを対応付けて記憶する。
【００５４】
次に、図６のフローチャートを参照して、上述した一連の撮影において、ＰＤＡ１０で撮影オーダ情報を表示する際に、ＣＰＵ１１によって実行されるオーダ認証処理を説明する。
【００５５】
図６において、ＣＰＵ１１は、操作部１２から撮影オーダ情報の表示指示を入力されると（ステップＳ１；ＹＥＳ）、撮影者ＩＤを入力する入力画面を表示部１３に表示し（ステップＳ２）、撮影者ＩＤの入力を促す。
【００５６】
次いで、撮影者により操作部１２から撮影者ＩＤを入力される、或いはバーコード化された撮影者ＩＤの読み取りを指示された場合は、バーコードリーダ１７によりバーコードを読み取って入力し、そのバーコードから撮影者ＩＤを認識すると（ステップＳ３）、撮影者ＩＤテーブル１６１を読み出して、入力された撮影者ＩＤと一致する撮影者ＩＤが登録されているか否かを判別する（ステップＳ４）。
【００５７】
入力された撮影者ＩＤと一致する撮影者ＩＤが登録されていない場合、「撮影者を認証できませんでした」又は「撮影者ＩＤが間違っています」等のメッセージを表示部１３に表示して、認証エラーガイダンスを行って、撮影オーダ情報を表示部１３に表示させず（ステップＳ５）、オーダ情報認証処理を終了する。
【００５８】
一方、入力された撮影者ＩＤと一致する撮影者ＩＤが撮影者ＩＤテーブル１６１に登録されている場合、その撮影者ＩＤを認証して、撮影する患者のＩＤを入力するための入力画面を表示部１３に表示させる。この患者ＩＤの入力画面において、操作部１２から患者ＩＤが入力されると（ステップＳ６）、入力された患者ＩＤに対応する撮影オーダ情報がオーダ登録ファイル１６２に登録されているか否かを判別する（ステップＳ７）。
【００５９】
撮影オーダ情報が登録されている場合は、オーダ登録ファイル１６２から患者ＩＤに対応する撮影オーダ情報を読み出して、図７に示すような撮影オーダ情報の一覧画面１３１を表示部１３に表示させる（ステップＳ９）。一方、撮影オーダ情報が登録されていない場合は、ＰＤＡ１０に該当する撮影オーダ情報を情報管理装置３０から通信制御部１４を介して取得し（ステップＳ８）、オーダ登録ファイル１６２に格納して登録を行い、登録した撮影オーダ情報の中から入力された患者ＩＤに対応する撮影オーダ情報を読み出して、同様に撮影オーダ情報の一覧画面１３１を表示し（ステップＳ９）、オーダ情報認証処理を終了する。
【００６０】
図７を参照して、撮影オーダ情報の一覧画面１３１について詳細に説明する。撮影オーダ情報の一覧画面１３１において、ＣＰＵ１１は、撮影オーダ情報を検索するために、撮影する患者のＩＤを入力する領域を画面上部に設定し、その下部に入力された患者ＩＤに対応する撮影オーダ情報の一覧を表示する。また、ＣＰＵ１１は、画面の上部右側に患者情報ボタン１２ａを設定し、この患者ボタン１２ａが押下されると、図８に示すように、さらに詳細な患者情報を表示する詳細画面１３２に遷移させる。
【００６１】
図８の詳細画面１３２では、より詳細な患者情報が表示され、撮影オーダ情報の一覧画面１３１で表示された患者氏名や性別等の撮影対象の患者を確認するために最低限必要な患者情報に加えて、医療警告情報、薬物アレルギー等の患者のプライバシーに大きく関わる情報が表示される。また、患者の照射線量の履歴、カセッテＩＤの読み取りを指示する読取りボタンが表示される。
【００６２】
以上のように、複数の撮影オーダ情報を撮影者が携帯するＰＤＡ１０に格納して表示するので、撮影オーダ情報の取り扱いが容易となるとともに所望の撮影オーダ情報を容易に確認することができる。従って、撮影作業に対する撮影者の負担を軽減することができる。
【００６３】
また、ＰＤＡ１０が格納している撮影オーダ情報を表示部１３に表示する際には、撮影者ＩＤを入力し、入力された撮影者ＩＤが認証されない場合は表示せず、認証された場合に表示するといったように、撮影者ＩＤの認証結果に応じて、撮影オーダ情報及び患者情報の表示が制御されるので、ＰＤＡ１０から外部への患者情報の漏洩を防止することができる。また、撮影者ＩＤにより撮影者の身元を容易に特定することができ、セキュリティ機能が向上する。特に、ＰＤＡ１０は携帯が可能であるため、情報が外部に漏洩する可能性が高く、撮影者の認証を行って撮影オーダ情報及び患者情報の表示制御を行うことは、セキュリティ対策として非常に有効である。
【００６４】
また、撮影者ＩＤが認証された時のみ、情報管理装置３０にアクセスして撮影オーダ情報を取得することができるので、ＲＩＳやＨＩＳ等の情報管理システムに対するセキュリティも確保することができる。
【００６５】
なお、本実施の形態における記述内容は、本発明の携帯型撮影情報装置を適用したＰＤＡ１０の好適な一例であり、これに限定されるものではない。
例えば、本実施の形態では、本発明の携帯型撮影情報装置として、ＰＤＡを適用して説明を行ったが、これに限らず、携帯可能なノート型のパーソナルコンピュータや携帯電話端末等を適用してもよい。
【００６６】
また、上述した説明では、撮影者の身元識別情報として、各撮影者に固有のＩＤ番号やそのバーコードを適用していたが、撮影オーダ情報の表示が許可された撮影者を特定できるのであればこれに限らず、複数の撮影者に共通のパスワード、撮影者の手書きによる署名のイメージデータ、撮影者の指紋データ、音声データ等のその他の身元識別情報であってもよい。
【００６７】
また、撮影者の身元識別情報を複数入力し、入力された複数の身元識別情報の組み合わせにより撮影者の認証を行うこととしてもよい。例えば、撮影者ＩＤと、撮影者の指紋データとを入力させ、これらの身元識別情報の両方が照合しなければ、撮影者を認証しない。これにより、よりセキュリティ機能が向上する。
【００６８】
また、上述した説明では、ＰＤＡ１０を起動中に撮影オーダ情報の表示指示を受けてオーダ認証処理を実行していたが、例えばＰＤＡ１０の起動に連動して、ＰＤＡ１０へのログインに対する認証と、撮影オーダ情報の表示に対する認証とを同時に行うよう設定することとしてもよい。
【００６９】
具体的には、電源をオンに設定され起動を指示されると、まず撮影者ＩＤを入力する入力画面を表示し、入力された撮影者ＩＤが認証された場合は、ＰＤＡ１０へのログインを行って撮影オーダ情報への一覧画面を表示部１３に表示し、撮影者ＩＤが認証されなかった場合は、認証エラーガイダンスを行って、ＰＤＡ１０へのログイン及び撮影オーダ情報の表示を行わない。撮影者ＩＤが認証されない場合はログインもしないので、撮影オーダ情報を取り扱うＰＤＡ１０のセキュリティ機能を向上させることができる。
【００７０】
その他、本実施の形態におけるＰＤＡ１０の細部構成及び細部動作に関しても、本発明の趣旨を逸脱することのない範囲で適宜変更可能である。
【００７１】
【発明の効果】
請求項１、５、６に記載の発明によれば、医用画像撮影システムにおける携帯型撮影情報装置が、受信した撮影オーダ情報を表示するので、撮影オーダ情報の確認及び取り扱いが容易になり、撮影者の撮影作業に対する負担を軽減することができる。また、携帯型撮影情報装置が、入力された撮影者の身元識別情報の認証結果に基づいて、撮影オーダ情報に含まれる患者に関する情報の表示を制御するので、患者に関する情報の外部への漏洩を防止することができるとともに撮影者の身元を容易に特定することができ、セキュリティ機能を向上させることができる。
【００７２】
請求項２に記載の発明によれば、携帯型撮影情報装置は、撮影オーダ情報を格納し、表示制御する際は、格納した撮影オーダ情報を読み出して表示制御するので、所望する撮影オーダ情報の読み出しが容易となる。
【００７３】
請求項３に記載の発明は、請求項１に記載の携帯型撮影情報装置において、
前記表示処理制御手段は、前記身元識別情報認証手段による認証結果に基づいて、前記撮影オーダ情報を管理する情報管理装置本体から前記患者に関する情報を読み出して、前記表示手段に対する表示制御を行うことを特徴としている。
【００７４】
請求項３に記載の発明によれば、携帯型撮影情報装置は、撮影者の身元識別情報の認証結果に基づいて、情報管理装置から患者に関する情報を読み出してその表示を制御するので、携帯型撮影情報装置だけではなく、情報管理装置のセキュリティをも確保することができる。
【００７５】
請求項４に記載の発明によれば、携帯型撮影情報装置の起動に連動して、撮影者の身元識別情報を認証するので、患者に関する情報を取り扱う携帯型撮影情報装置のセキュリティをより強固に確保することができる。
【００７６】
請求項７に記載の発明によれば、携帯型撮影情報装置が情報管理装置からネットワークを介して撮影オーダ情報を受信し、撮影者の認証を待って撮影オーダ情報に含まれる患者に関する情報の表示を行うので、撮影オーダ情報の取り扱いが容易であるとともに患者に関する情報の外部への漏洩を防止する、セキュリティ機能が高い医用画像撮影システムを提供することができる。
【図面の簡単な説明】
【図１】本発明に係るＰＤＡ１０を含む医用画像撮影システム１００の全体構成を示す概念図である。
【図２】本発明を適用した実施の形態のＰＤＡ１０の機能的構成を示すブロック図である。
【図３】図２の記憶装置１６の撮影者ＩＤテーブル１６１のデータ格納例を示す図である。
【図４】図２の記憶装置１６のオーダ登録ファイル１６２のデータ格納例を示す図である。
【図５】ＰＤＡ１０を用いて行われる撮影の全体的な流れを説明する図である。
【図６】図２のＣＰＵ１１により実行されるオーダ認証処理である。
【図７】オーダ認証処理において、撮影者が認証された場合に表示される撮影オーダ情報の一覧画面１３１の一例を示す図である。
【図８】詳細な患者情報を表示する詳細画面１３２の一例を示す図である。
【符号の説明】
１０    ＰＤＡ
１１    ＣＰＵ
１２    操作部
１２ａ    患者情報ボタン
１３    表示部
１４    通信制御部
１５    ＲＡＭ
１６    記憶装置
１６１    撮影者ＩＤテーブル
１７    バーコードリーダ
３０    情報管理装置
５０    医用画像撮影装置
６０    医用画像読取装置
７０    カセッテ
８０    制御装置
１００    医用画像撮影システム
【図１】
2004147913.tif 000003
【図２】
2004147913.tif 000004
【図３】
2004147913.tif 000005
【図４】
2004147913.tif 000006
【図５】
2004147913.tif 000007
【図６】
2004147913.tif 000008
【図７】
2004147913.tif 000009
【図８】
2004147913.tif 000010